(57)【特許請求の範囲】
【請求項１】
商用電源からの交流電圧を直流電圧に変換するＡＣ−ＤＣ変換部と、前記ＡＣ−ＤＣ変換部により変換された直流電圧を所定の直流電圧に変換するＤＣ−ＤＣ変換部と、前記ＤＣ−ＤＣ変換部の出力側に接続される光源部を冷却する冷却部と、前記ＡＣ−ＤＣ変換部または前記ＤＣ−ＤＣ変換部を制御する制御部とを備え、前記制御部は、前記ＡＣ−ＤＣ変換部の出力側に電気的に接続され、前記制御部は、前記商用電源から給電された状態で前記光源部が消灯すると、前記冷却部の冷却機能を抑制または停止することを特徴とする点灯装置。
【請求項２】
前記制御部は、前記光源部の光出力レベルが１００％よりも小さな規定値以下のときに、前記冷却部の冷却機能を抑制または停止することを特徴とする請求項１記載の点灯装置。
【請求項３】
前記冷却部を駆動するための駆動電圧を前記冷却部に供給する電源部を備え、前記制御部は、前記商用電源から給電された状態で前記光源部が消灯すると、前記電源部から前記冷却部への給電を停止させることを特徴とする請求項１または請求項２記載の点灯装置。
【請求項４】
前記電源部は、前記ＤＣ−ＤＣ変換部により変換された前記所定の直流電圧から前記駆動電圧を生成することを特徴とする請求項３記載の点灯装置。
【請求項５】
前記制御部は、前記冷却部を駆動するための駆動信号を前記冷却部へ出力し、前記制御部は、前記商用電源から給電された状態で前記光源部が消灯すると、前記駆動信号の出力を停止することを特徴とする請求項１または請求項２記載の点灯装置。
【請求項６】
固体発光素子を有する前記光源部と、請求項１ないし請求項５のいずれか１項に記載の点灯装置とを備えてなることを特徴とする照明器具。
【請求項７】
前記光源部は、複数の前記固体発光素子が直並列に接続されてなることを特徴とする請求項６記載の照明器具。
【発明の詳細な説明】
【技術分野】
【０００１】
本発明は、点灯装置およびそれを用いた照明器具に関するものである。
【背景技術】
【０００２】
近年、照明器具の光源として固体発光素子（例えば、発光ダイオード）が用いられるようになってきている。
【０００３】
また、従来から、複数の発光ダイオード（以下、ＬＥＤと称す）を有するライト・モジュールと、ライト・モジュールを制御する制御装置とを備えたシステムが提案されている（特許文献１）。なお、特許文献１には、上述のシステムが、ライト・モジュールを複数備えていることが記載されている。
【０００４】
特許文献１には、ライト・モジュールが、複数のＬＥＤを具備するＬＥＤシステムと、ＬＥＤシステムを制御する処理装置とを有する旨が記載されている。また、特許文献１には、制御装置が、ＤＭＸ−５１２プロトコルに従う形式の制御データにより、処理装置を制御する旨が記載されている。
【０００５】
また、従来から、ファンなどの冷却手段を有する照明装置が提案されている（例えば、特許文献２，３）。
【０００６】
特許文献２には、ファンなどの冷却手段を有するＬＥＤ点灯装置およびそれを用いた照明装置が開示されている。なお、特許文献２には、この照明装置が、屋内または屋外で使用される照明器具に適用可能である旨が記載されている。
【０００７】
特許文献２に開示されたＬＥＤ点灯装置は、図５に示すように、直流電源７２と、直流電源７２の出力を受けて複数のＬＥＤ７４を点灯させる点灯回路７３とを備えている。
【０００８】
点灯回路７３は、複数のＬＥＤ７４が接続された直列回路７８と、冷却手段の一部であるファンモータ７５を駆動する冷却手段駆動部７６とを備えている。なお、特許文献２には、冷却手段が、ファンモータ７５と、このファンモータ７５に取り付けられた図示されていないファンとを備えていることが記載されている。
【０００９】
また、特許文献２には、冷却手段駆動部７６に、サーミスタ等の温度検出素子からなる温度検出手段７７が接続されていることが記載されている。また、特許文献２には、温度検出手段７７が、ＬＥＤ７４の温度を検出する旨が記載されている。そして、特許文献２には、温度検出手段７７によりＬＥＤ７４の一定以上の温度上昇が検出されると、冷却手段駆動部７６が、ファンモータ７５を駆動する旨が記載されている。
【００１０】
特許文献３には、冷却ファンを有する照明装置およびそれを用いた表示装置が開示されている。
【００１１】
特許文献３に開示された表示装置は、図６に示すように、ＬＥＤ８０を有する発光部８１と、導光路８２と、液晶ディスプレイパネル８３と、温度センサ８４と、メモリ部８５と、発光部８１を冷却する冷却ファン８９とを備えている。なお、特許文献３には、発光部８１が、ＬＥＤ８０を複数備えていることが記載されている。
【００１２】
また、上述の表示装置は、ＬＥＤ８０の駆動電流を調整する電流調整部８７と、ＬＥＤ８０の駆動電圧を調整する電圧調整部８８と、電流調整部８７や電圧調整部８８を介してＬＥＤ８０の発光量を制御する光量制御部８６とを備えている。なお、特許文献３には、温度センサ８４が、ＬＥＤ８０のジャンクション温度またはＬＥＤ８０の周辺温度を検出する温度検出手段である旨が記載されている。
【００１３】
光量制御部８６は、アナログ／ディジタル変換部９０（以下、ＡＤＣ９０と称す）と、マトリクス比較部９１と、ＬＥＤ８０の駆動電流を調整するための電流制御信号およびＬＥＤ８０の駆動電圧を調整するための電圧制御信号を生成する制御信号生成部９２とを有している。
【００１４】
ＡＤＣ９０は、温度センサ８４からのアナログ温度信号をディジタル温度信号に変換してマトリクス比較部９１へ送出する。
【００１５】
マトリクス比較部９１は、ＡＤＣ９０からのディジタル温度信号と、メモリ部８５から読み出されたマトリクスデータとを比較してＬＥＤ８０に流せる認可電流ＩＭを決定し、その結果を制御信号生成部９２に伝達する。
【００１６】
また、特許文献３には、制御信号生成部９２が、マトリクス比較部９１からの認可電流ＩＭと、図示されていないホストからの要求駆動電流ＩＲとの差違量に応じて、冷却ファン８９の冷却能力（ファンの回転数）を制御する旨が記載されている。
【先行技術文献】
【特許文献】
【００１７】
【特許文献１】特開２００８−３４３８５号公報
【特許文献２】特開２０１１−１５０９３６号公報
【特許文献３】特開２００６−３１８７３３号公報
【発明の概要】
【発明が解決しようとする課題】
【００１８】
ところで、特許文献１に開示されたシステムでは、制御装置が、ＤＭＸ−５１２プロトコルに従う形式の制御データにより各処理装置を制御することによって、複数のライト・モジュールを遠隔操作により制御することが可能となる。
【００１９】
しかしながら、特許文献１に開示されたシステムにおける各ライト・モジュールでは、ＬＥＤの高出力化に伴って、ＬＥＤの温度上昇が懸念される。
【００２０】
また、特許文献２に開示されたＬＥＤ点灯装置では、温度検出手段７７によりＬＥＤ７４の一定以上の温度上昇が検出されると、冷却手段駆動部７６がファンモータ７５を駆動するので、ＬＥＤ７４の温度上昇を抑制することが可能となる。
【００２１】
しかしながら、上述のＬＥＤ点灯装置では、商用電源から給電された状態でＬＥＤ７４が点灯状態から消灯状態になると、直ちにＬＥＤ７４の温度上昇が停止するものではなく、冷却手段駆動部７６がファンモータ７５を駆動し続ける可能性がある。そのため、上述のＬＥＤ点灯装置では、商用電源から給電された状態でＬＥＤ７４の消灯状態における電力消費が懸念される。
【００２２】
また、特許文献３に開示された表示装置では、制御信号生成部９２が、マトリクス比較部９１からの認可電流ＩＭと、図示されていないホストからの要求駆動電流ＩＲとの差違量に応じて、冷却ファン８９の冷却能力を制御するので、ＬＥＤ８０の温度上昇を抑制することが可能となる。
【００２３】
しかしながら、上述の表示装置では、商用電源から給電された状態でＬＥＤ８０が点灯状態から消灯状態になっても、冷却ファン８９の冷却能力を停止することは困難であり、商用電源から給電された状態でＬＥＤ８０の消灯状態における電力消費が懸念される。
【００２４】
本発明は上記事由に鑑みて為されたものであり、その目的は、商用電源から給電された状態で光源部の消灯状態における電力消費を低減可能な点灯装置およびそれを用いた照明器具を提供することにある。
【課題を解決するための手段】
【００２５】
本発明の点灯装置は、商用電源からの交流電圧を直流電圧に変換するＡＣ−ＤＣ変換部と、前記ＡＣ−ＤＣ変換部により変換された直流電圧を所定の直流電圧に変換するＤＣ−ＤＣ変換部と、前記ＤＣ−ＤＣ変換部の出力側に接続される光源部を冷却する冷却部と、前記ＡＣ−ＤＣ変換部または前記ＤＣ−ＤＣ変換部を制御する制御部とを備え、前記制御部は、前記ＡＣ−ＤＣ変換部の出力側に電気的に接続され、前記制御部は、前記商用電源から給電された状態で前記光源部が消灯すると、前記冷却部の冷却機能を抑制または停止することを特徴とする。
【００２６】
この点灯装置において、前記制御部は、前記光源部の光出力レベルが１００％よりも小さな規定値以下のときに、前記冷却部の冷却機能を抑制または停止することが好ましい。
【００２７】
この点灯装置において、前記冷却部を駆動するための駆動電圧を前記冷却部に供給する電源部を備え、前記制御部は、前記商用電源から給電された状態で前記光源部が消灯すると、前記電源部から前記冷却部への給電を停止させることが好ましい。
【００２８】
この点灯装置において、前記電源部は、前記ＤＣ−ＤＣ変換部により変換された前記所定の直流電圧から前記駆動電圧を生成することが好ましい。
【００２９】
この点灯装置において、前記制御部は、前記冷却部を駆動するための駆動信号を前記冷却部へ出力し、前記制御部は、前記商用電源から給電された状態で前記光源部が消灯すると、前記駆動信号の出力を停止することが好ましい。
【００３０】
本発明の照明器具は、固体発光素子を有する前記光源部と、前記点灯装置とを備えてなることを特徴とする。
【００３１】
この照明器具において、前記光源部は、複数の前記固体発光素子が直並列に接続されてなることが好ましい。
【発明の効果】
【００３２】
本発明の点灯装置においては、商用電源から給電された状態で光源部の消灯状態における電力消費を低減可能となる。
【００３３】
本発明の照明器具においては、商用電源から給電された状態で光源部の消灯状態における電力消費を低減可能となる。
【図面の簡単な説明】
【００３４】
【図１】実施形態の点灯装置の使用例を示す概略構成図である。
【図２】同上の点灯装置の使用例を示す他の概略構成図である。
【図３】同上の点灯装置の構成を示す回路図である。
【図４】実施形態の照明器具の概略構成図である。
【図５】従来例のＬＥＤ点灯装置の概略構成図である。
【図６】従来例の表示装置の概略構成図である。
【発明を実施するための形態】
【００３５】
以下、本実施形態の点灯装置について、図１〜図３を参照しながら説明する。
【００３６】
本実施形態の点灯装置１０は、例えば、固体発光素子１３（図２，３参照）を有する光源部１１を点灯させるものである。なお、本実施形態では、複数個の点灯装置１０と、これら複数個の点灯装置１０を制御する制御装置３０とを備えた照明システムを簡単に説明した後に、上述の点灯装置１０について説明する。
【００３７】
制御装置３０は、各点灯装置１０を制御するための制御データを発生するデータ発生装置３１と、データ発生装置３１からの上記制御データを各点灯装置１０へ送出するネットワーク回路３２とを有している。上述の照明システムは、複数個の点灯装置１０と制御装置３０との間に、上記制御データを伝送するための伝送路３３が設けられている。伝送路３３としては、例えば、通信ケーブルなどの媒体を用いることができる。なお、データ発生装置３１には、ネットワーク回路３２へ上記制御データを送信する送信装置（図示せず）が設けられている。
【００３８】
データ発生装置３１としては、例えば、周囲の照度または人の在否を検出するセンサ装置を用いることができる。また、データ発生装置３１としては、センサ装置以外に、例えば、各点灯装置１０を制御するためのプロトコル信号を発生する信号発生装置を用いることができる。上記プロトコル信号としては、例えば、ＤＭＸ（Digital Multiplex）信号、ＤＡＬＩ（Digital Addressable Lighting Interface）信号などを採用することができる。
【００３９】
また、データ発生装置３１としては、センサ装置および信号発生装置以外に、例えば、赤外線または電波などの媒体によりリモコン信号を送信可能なリモートコントローラ（以下、リモコンと称す）を用いることができる。このリモコン信号には、上記制御データが含まれている。上述の照明システムでは、データ発生装置３１としてリモコンを用いた場合、ネットワーク回路３２および伝送路３３を設けなくてもよい。
【００４０】
光源部１１は、図３に示すように、複数個（図示例では、２８個）の固体発光素子１３を有している。本実施形態では、固体発光素子１３として、例えば、発光ダイオード（以下、ＬＥＤと称す）を採用している。なお、図２では、２８個の固体発光素子１３のうち５個の固体発光素子１３が見えている。
【００４１】
２８個の固体発光素子１３は、赤色光を発光する７個の赤色ＬＥＤ１３ａと、緑色光を発光する７個の緑色ＬＥＤ１３ｂと、青色光を発光する７個の青色ＬＥＤ１３ｃと、白色光を発光する７個の白色ＬＥＤ１３ｄとを有している。
【００４２】
また、光源部１１は、２８個の固体発光素子１３の接続関係を、直列接続と並列接続とを組み合わせた接続としている。具体的に説明すると、光源部１１は、７個の赤色ＬＥＤ１３ａの直列回路と、７個の緑色ＬＥＤ１３ｂの直列回路と、７個の青色ＬＥＤ１３ｃの直列回路と、７個の白色ＬＥＤ１３ｄの直列回路とを備え、これら４個の直列回路が並列に接続されている。
【００４３】
本実施形態の点灯装置１０は、商用電源ＡＣからの交流電圧を直流電圧に変換するＡＣ−ＤＣ変換部１と、ＡＣ−ＤＣ変換部１により変換された直流電圧を所定の直流電圧に変換するＤＣ−ＤＣ変換部２とを備えている。また、点灯装置１０は、ＤＣ−ＤＣ変換部２の出力側に接続される光源部１１を冷却する冷却部３と、ＤＣ−ＤＣ変換部２、光源部１１および冷却部３を制御する制御部４とを備えている。さらに、点灯装置１０は、制御装置３０からの上記制御データに基づいて制御部４の動作を指示するための処理を行うデータ処理部５を備えている。
【００４４】
以下、点灯装置１０の各構成要素について、図３に基づいて詳細に説明する。
【００４５】
ＡＣ−ＤＣ変換部１としては、例えば、交流電圧を全波整流する全波整流器６と、この全波整流器６により全波整流された電圧を平滑して直流電圧を出力する平滑用のコンデンサＣ１とを用いることができる。
【００４６】
全波整流器６としては、例えば、４個のダイオードＤ１〜Ｄ４により構成されたダイオードブリッジを採用することができる。
【００４７】
全波整流器６の一対の出力端間には、平滑用のコンデンサＣ１が接続されている。具体的に説明すると、ダイオードＤ１のカソード側とダイオードＤ３のカソード側との接続点Ｐ１は、平滑用のコンデンサＣ１の高電位側に接続されている。また、ダイオードＤ２のアノード側とダイオードＤ４のアノード側との接続点Ｐ２は、平滑用のコンデンサＣ１の低電位側に接続されている。
【００４８】
全波整流器６の一対の入力端には、ノイズを除去するフィルタ部７が接続されている。言い換えれば、ＡＣ−ＤＣ変換部１の一対の入力端には、上述のフィルタ部７が接続されている。なお、図１および図２では、フィルタ部７の図示を省略している。
【００４９】
フィルタ部７は、コンデンサＣ２と、２個のインダクタＬ１，Ｌ２からなるコモンモードフィルタとを有している。
【００５０】
インダクタＬ１の一端は、コンデンサＣ２の高電位側に接続されている。また、インダクタＬ１の他端は、全波整流器６におけるダイオードＤ３のアノード側とダイオードＤ４のカソード側との接続点Ｐ３に接続されている。インダクタＬ２の一端は、コンデンサＣ２の低電位側に接続されている。また、インダクタＬ２の他端は、全波整流器６におけるダイオードＤ１のアノード側とダイオードＤ２のカソード側との接続点Ｐ４に接続されている。
【００５１】
フィルタ部７の一対の入力端間には、商用電源ＡＣが接続されている。
【００５２】
フィルタ部７の一対の入力端における一方の入力端と商用電源ＡＣとの間の給電路には、例えば壁スイッチなどのスイッチＳＷが設けられている。言い換えれば、点灯装置１０の一対の入力端における一方の入力端と商用電源ＡＣとの間の給電路には、上述のスイッチＳＷが設けられている。
【００５３】
また、フィルタ部７の一対の入力端における他方の入力端と商用電源ＡＣとの間の給電路には、過電流が流れたときに溶断するヒューズＦＳが設けられている。言い換えれば、点灯装置１０の一対の入力端における他方の入力端と商用電源ＡＣとの間の給電路には、上述のヒューズＦＳが設けられている。なお、図１および図２では、ヒューズＦＳの図示を省略している。
【００５４】
ここにおいて、本実施形態の点灯装置１０では、ＡＣ−ＤＣ変換部１として、全波整流器６と平滑用のコンデンサＣ１とを用いているが、これに限らず、例えば、商用電源ＡＣからの入力電圧の力率や入力電流の波形歪みを改善可能な昇圧チョッパー方式のＡＣ−ＤＣコンバータなどを用いてもよい。この場合には、制御部４が、ＡＣ−ＤＣ変換部１を制御することが望ましい。
【００５５】
ＤＣ−ＤＣ変換部２は、例えば、フライバックコンバータにより構成することができる。本実施形態では、ＤＣ−ＤＣ変換部２が、３個の抵抗Ｒ１〜Ｒ３と、２個のコンデンサＣ３，Ｃ４と、２個のダイオードＤ５，Ｄ６と、トランスＴ１と、例えばパワーＭＯＳＦＥＴからなるスイッチング素子Ｑ１とを有している。なお、トランスＴ１には、１次巻線Ｎ１、２次巻線Ｎ２、３次巻線Ｎ３および４次巻線Ｎ４が設けられている。
【００５６】
トランスＴ１の１次巻線Ｎ１の両端間には、抵抗Ｒ１およびコンデンサＣ３の並列回路と、ダイオードＤ５との直列回路が接続されている。本実施形態では、ダイオードＤ５のカソード側が、抵抗Ｒ１およびコンデンサＣ３の並列回路を介して、トランスＴ１の１次巻線Ｎ１の一端に接続されている。また、ダイオードＤ５のアノード側は、トランスＴ１の１次巻線Ｎ１の他端に接続されている。
【００５７】
ダイオードＤ５のアノード側とトランスＴ１の１次巻線Ｎ１の他端との接続点は、スイッチング素子Ｑ１のドレイン端子に接続されている。スイッチング素子Ｑ１のゲート端子は、抵抗Ｒ２を介して制御部４に接続されている。スイッチング素子Ｑ１のソース端子は、抵抗Ｒ３を介して平滑用のコンデンサＣ１の低電位側に接続されている。
【００５８】
トランスＴ１の１次巻線Ｎ１の一端は、平滑用のコンデンサＣ１の高電位側に接続されている。
【００５９】
トランスＴ１の２次巻線Ｎ２の両端間には、ダイオードＤ６とコンデンサＣ４との直列回路が接続されている。本実施形態の点灯装置１０では、コンデンサＣ４の両端電圧（ＤＣ−ＤＣ変換部２の出力電圧）が、光源部１１に印加される。言い換えれば、光源部１１は、ＤＣ−ＤＣ変換部２の出力電圧により点灯可能となる。
【００６０】
ここにおいて、本実施形態の点灯装置１０では、ＤＣ−ＤＣ変換部２を、フライバックコンバータにより構成しているが、これに限らず、例えば、バックコンバータなどにより構成してもよい。
【００６１】
冷却部３としては、例えば、空冷式の冷却装置（例えば、軸流ファン）を用いることができる。本実施形態では、冷却部３が、複数個の羽根８ａが取り付けられた回転軸８ｂを中心として時計回りまたは反時計回りに回転可能な回転部８と、回転部８を駆動する駆動モータ９とを有している。本実施形態では、駆動モータ９として、ＤＣモータを採用しているが、これに限らず、例えば、パルスモータなどを採用してもよい。この場合には、回転部８の回転速度を調整することが可能となり、冷却部３の冷却機能を抑制することが可能となる。
【００６２】
ここにおいて、本実施形態の点灯装置１０では、冷却部３として、空冷式の冷却装置を用いているが、これに限らず、例えば、ポンプにより水を循環させる水冷式の冷却装置やペルチェ素子などを用いた方式の冷却装置を用いてもよい。
【００６３】
制御部４は、ＤＣ−ＤＣ変換部２を制御する第１の制御部４ａと、光源部１１を制御する第２の制御部４ｂと、冷却部３を制御する第３の制御部４ｃとを有している。
【００６４】
第１の制御部４ａは、１１個の抵抗Ｒ４〜Ｒ１４と、４個のコンデンサＣ５〜Ｃ８と、ｎｐｎ型のトランジスタＴｒ１と、コンパレータＣＰ１と、フォトカプラＰＣ１と、ＤＣ−ＤＣ変換部２のスイッチング素子Ｑ１のオンオフを制御する制御用ＩＣ１６とを有している。本実施形態では、制御用ＩＣ１６として、インフィニオン株式会社製のＩＣ（品番ＩＣＥ２ＱＳ０２Ｇ）を採用しているが、このＩＣを特に限定するものではない。なお、本実施形態では、スイッチング素子Ｑ１のオンオフを制御するために、上述の制御用ＩＣ１６を用いているが、これに限らず、例えば、適宜の第１のプログラムが搭載された第１のマイクロコンピュータなどを用いてもよい。
【００６５】
ＤＣ−ＤＣ変換部２のコンデンサＣ４の両端間には、抵抗Ｒ１１と抵抗Ｒ１２との直列回路が接続されている。抵抗Ｒ１１と抵抗Ｒ１２との接続点Ｐ５は、コンパレータＣＰ１の反転入力端子に接続されている。
【００６６】
コンパレータＣＰ１の非反転入力端子は、抵抗Ｒ１３と抵抗Ｒ１４との接続点Ｐ６に接続されている。抵抗Ｒ１４における抵抗Ｒ１３との接続点Ｐ６側とは反対側は、抵抗Ｒ１２における抵抗Ｒ１１との接続点Ｐ５側とは反対側に接続されている。
【００６７】
コンパレータＣＰ１の出力端子は、抵抗Ｒ８を介してトランジスタＴｒ１のベース端子に接続されている。また、コンパレータＣＰ１の出力端子は、抵抗Ｒ１０およびコンデンサＣ８の並列回路を介してコンパレータＣＰ１の反転入力端子に接続されている。
【００６８】
トランジスタＴｒ１のベース端子は、抵抗Ｒ９を介して、抵抗Ｒ１２における抵抗Ｒ１１との接続点Ｐ５側とは反対側に接続されている。トランジスタＴｒ１のエミッタ端子は、抵抗Ｒ９を介して、トランジスタＴｒ１のベース端子に接続されている。また、トランジスタＴｒ１のエミッタ端子は、コンデンサＣ４の低電位側に接続されている。
【００６９】
トランジスタＴｒ１のコレクタ端子は、フォトカプラＰＣ１の発光ダイオードＰＤ１と抵抗Ｒ７とを介して、抵抗Ｒ１３における抵抗Ｒ１４との接続点Ｐ６側とは反対側に接続されている。抵抗Ｒ１３における抵抗Ｒ１４との接続点Ｐ６側とは反対側は、データ処理部５に接続されている。なお、本実施形態では、発光ダイオードＰＤ１のアノード側が抵抗Ｒ７に接続され、発光ダイオードＰＤ１のカソード側がトランジスタＴｒ１のコレクタ端子に接続されている。
【００７０】
フォトカプラＰＣ１のフォトトランジスタＰＴ１のエミッタ端子は、抵抗Ｒ５を介して制御用ＩＣ１６の５番ピンに接続されている。また、フォトトランジスタＰＴ１のエミッタ端子は、コンデンサＣ７の低電位側に接続されている。コンデンサＣ７の高電位側は、制御用ＩＣ１６の４番ピンに接続されている。また、コンデンサＣ７の高電位側は、抵抗Ｒ６を介して、ＤＣ−ＤＣ変換部２におけるスイッチング素子Ｑ１のソース端子と抵抗Ｒ３との接続点Ｐ７に接続されている。
【００７１】
フォトカプラＰＣ１のフォトトランジスタＰＴ１のコレクタ端子は、コンデンサＣ６の高電位側に接続されている。コンデンサＣ６の高電位側は、制御用ＩＣ１６の３番ピンに接続されている。コンデンサＣ６の低電位側は、コンデンサＣ７の低電位側に接続されている。また、コンデンサＣ６の低電位側は、抵抗Ｒ４を介して制御用ＩＣ１６の１番ピンに接続されている。抵抗Ｒ４には、コンデンサＣ５が並列接続されている。本実施形態では、コンデンサＣ５の高電位側が制御用ＩＣ１６の１番ピン側に接続され、コンデンサＣ５の低電位側がＡＣ−ＤＣ変換部１における平滑用のコンデンサＣ１の低電位側に接続されている。
【００７２】
制御用ＩＣ１６の６番ピンは、抵抗Ｒ２を介してスイッチング素子Ｑ１のゲート端子に接続されている。また、制御用ＩＣ１６の８番ピンは、平滑用のコンデンサＣ１の低電位側に接続されている。また、制御用ＩＣ１６の５番ピンは、抵抗Ｒ２３および抵抗Ｒ２４の直列回路を介して、平滑用のコンデンサＣ１の高電位側に接続されている。
【００７３】
制御用ＩＣ１６の２番ピンは、抵抗Ｒ２１を介して、ＤＣ−ＤＣ変換部２におけるトランスＴ１の３次巻線Ｎ３の一端に接続されている。トランスＴ１の３次巻線Ｎ３の他端は、平滑用のコンデンサＣ１の低電位側に接続されている。トランスＴ１の３次巻線Ｎ３の一端と抵抗Ｒ２１との接続点Ｐ８は、抵抗Ｒ２２とダイオードＤ７とを介して、制御用ＩＣ１６の７番ピンに接続されている。本実施形態では、ダイオードＤ７のアノード側が抵抗Ｒ２２に接続され、ダイオードＤ７のカソード側が制御用ＩＣ１６の７番ピンに接続されている。
【００７４】
第２の制御部４ｂは、４個の抵抗Ｒ１５〜Ｒ１８と、４個のスイッチング素子Ｑ２〜Ｑ５とを有している。本実施形態では、各スイッチング素子Ｑ２〜Ｑ５として、パワーＭＯＳＦＥＴを採用しているが、これを特に限定するものではない。
【００７５】
スイッチング素子Ｑ２のドレイン端子は、光源部１１における７個の赤色ＬＥＤ１３ａの直列回路の一端に接続されている。７個の赤色ＬＥＤ１３ａの直列回路の他端は、ＤＣ−ＤＣ変換部２のコンデンサＣ４の高電位側に接続されている。スイッチング素子Ｑ２のソース端子は、コンデンサＣ４の低電位側に接続されている。スイッチング素子Ｑ２のゲート端子は、抵抗Ｒ１５を介してデータ処理部５に接続されている。
【００７６】
スイッチング素子Ｑ３のドレイン端子は、光源部１１における７個の緑色ＬＥＤ１３ｂの直列回路の一端に接続されている。７個の緑色ＬＥＤ１３ｂの直列回路の他端は、７個の赤色ＬＥＤ１３ａの直列回路の他端に接続されている。スイッチング素子Ｑ３のソース端子は、スイッチング素子Ｑ２のソース端子に接続されている。スイッチング素子Ｑ３のゲート端子は、抵抗Ｒ１６を介してデータ処理部５に接続されている。
【００７７】
スイッチング素子Ｑ４のドレイン端子は、光源部１１における７個の青色ＬＥＤ１３ｃの直列回路の一端に接続されている。７個の青色ＬＥＤ１３ｃの直列回路の他端は、７個の緑色ＬＥＤ１３ｂの直列回路の他端に接続されている。スイッチング素子Ｑ４のソース端子は、スイッチング素子Ｑ３のソース端子に接続されている。スイッチング素子Ｑ４のゲート端子は、抵抗Ｒ１７を介してデータ処理部５に接続されている。
【００７８】
スイッチング素子Ｑ５のドレイン端子は、光源部１１における７個の白色ＬＥＤ１３ｄの直列回路の一端に接続されている。７個の白色ＬＥＤ１３ｄの直列回路の他端は、７個の青色ＬＥＤ１３ｃの直列回路の他端に接続されている。スイッチング素子Ｑ５のソース端子は、スイッチング素子Ｑ４のソース端子に接続されている。スイッチング素子Ｑ５のゲート端子は、抵抗Ｒ１８を介してデータ処理部５に接続されている。
【００７９】
第３の制御部４ｃは、２個の抵抗Ｒ１９，Ｒ２０と、ｐｎｐ型のトランジスタＴｒ２と、ｎｐｎ型のトランジスタＴｒ３とを有している。
【００８０】
トランジスタＴｒ２のコレクタ端子は、駆動モータ９の一対の入力端子９ａ，９ｂにおける一方の入力端子９ａに接続されている。トランジスタＴｒ２のベース端子は、抵抗Ｒ１９を介して、トランジスタＴｒ３のコレクタ端子に接続されている。
【００８１】
トランジスタＴｒ３のベース端子は、抵抗Ｒ２０を介してデータ処理部５に接続されている。トランジスタＴｒ３のエミッタ端子は、駆動モータ９の一対の入力端子９ａ，９ｂにおける他方の入力端子９ｂに接続されている。また、トランジスタＴｒ３のエミッタ端子は、ＤＣ−ＤＣ変換部２のコンデンサＣ４の低電位側に接続されている。
【００８２】
トランジスタＴｒ２のエミッタ端子は、ダイオードＤ８を介して、ＤＣ−ＤＣ変換部２におけるトランスＴ１の４次巻線Ｎ４の一端に接続されている。本実施形態では、ダイオードＤ８のアノード側がトランスＴ１の４次巻線Ｎ４の一端に接続され、ダイオードＤ８のカソード側がトランジスタＴｒ２のエミッタ端子に接続されている。トランスＴ１の４次巻線Ｎ４の他端は、コンデンサＣ４の低電位側に接続されている。
【００８３】
ところで、本実施形態の点灯装置１０は、制御部４、冷却部３およびデータ処理部５の各々を駆動させるための駆動電圧を生成する複数個（本実施形態では、３個）の電源部１７〜１９を備えている。なお、図１および図２では、２個の電源部１８，１９を、１個の電源部として図示してある。以下、本実施形態では、説明の便宜上、３個の電源部１７〜１９を、第１の電源部１７、第２の電源部１８、第３の電源部１９と称することもある。
【００８４】
点灯装置１０は、制御部４を駆動させるための第１の駆動電圧を生成して制御部４に供給する第１の電源部１７と、冷却部３を駆動させるための第２の駆動電圧を生成して冷却部３に供給する第２の電源部１８とを備えている。また、点灯装置１０は、データ処理部５を駆動させるための第３の駆動電圧を生成してデータ処理部５に供給する第３の電源部１９を備えている。
【００８５】
第１の電源部１７は、ＡＣ−ＤＣ変換部１により変換された直流電圧から第１の駆動電圧（本実施形態では、５Ｖ）を生成する。また、第２の電源部１８は、ＤＣ−ＤＣ変換部２により変換された上記所定の直流電圧から第２の駆動電圧（本実施形態では、１２Ｖ）を生成する。また、第３の電源部１９は、第２の電源部１８により生成された第２の駆動電圧から第３の駆動電圧（本実施形態では、５Ｖ）を生成する。なお、本実施形態では、第１の駆動電圧および第３の駆動電圧の各々を５Ｖ、第２の駆動電圧を１２Ｖとしているが、これらの数値は一例であり、特に限定するものではない。
【００８６】
ここにおいて、本実施形態の点灯装置１０では、第１の電源部１７と、第２の電源部１８と、第３の電源部１９とを備えているが、これに限らず、例えば、第１の電源部１７と第２の電源部１８とを備え、第１の電源部１７により生成された第１の駆動電圧をデータ処理部５に供給してもよい。言い換えれば、本実施形態では、電源部１７〜１９の個数を３個としているが、例えば、２個としてもよい。
【００８７】
また、第１の電源部１７は、コンデンサＣ９を有している。コンデンサＣ９の高電位側は、抵抗Ｒ２５および抵抗Ｒ２６の直列回路を介して、平滑用のコンデンサＣ１の高電位側に接続されている。コンデンサＣ９の高電位側と抵抗Ｒ２５および抵抗Ｒ２６の直列回路との接続点Ｐ９は、制御用ＩＣ１６の７番ピンに接続されている。コンデンサＣ９の低電位側は、平滑用のコンデンサＣ１の低電位側に接続されている。
【００８８】
本実施形態の点灯装置１０は、スイッチＳＷがオンされて商用電源ＡＣから給電されると、ＡＣ−ＤＣ変換部１により変換された直流電圧が、抵抗Ｒ２５と抵抗Ｒ２６とを介して、コンデンサＣ９に充電される。また、点灯装置１０は、コンデンサＣ９が充電されると、コンデンサＣ９の両端電圧（第１の電源部１７により生成された第１の駆動電圧）を制御用ＩＣ１６の７番ピンに供給して、制御用ＩＣ１６を駆動する。そして、点灯装置１０は、制御用ＩＣ１６がＤＣ−ＤＣ変換部２のスイッチング素子Ｑ１のオンオフを制御すると、ＤＣ−ＤＣ変換部２におけるトランスＴ１の３次巻線Ｎ３で発生する電圧が、抵抗Ｒ２２、ダイオードＤ７およびコンデンサＣ９により整流平滑されて、制御用ＩＣ１６の７番ピンに供給される。
【００８９】
また、第２の電源部１８は、ＤＣ−ＤＣ変換部２のトランスＴ１の４次巻線Ｎ４と、ダイオードＤ８と、コンデンサＣ１０とを有している。
【００９０】
ダイオードＤ８のアノード側は、トランスＴ１の４次巻線Ｎ４の一端に接続されている。ダイオードＤ８のカソード側は、第３の制御部４ｃにおけるトランジスタＴｒ２のエミッタ端子に接続されている。トランスＴ１の４次巻線Ｎ４の他端は、ＤＣ−ＤＣ変換部２のコンデンサＣ４の低電位側に接続されている。
【００９１】
コンデンサＣ１０の高電位側は、ダイオードＤ８とトランジスタＴｒ２のエミッタ端子との接続点Ｐ１０に接続されている。コンデンサＣ１０の低電位側は、コンデンサＣ４の低電位側に接続されている。
【００９２】
また、第３の電源部１９は、第２の電源部１８により生成された第２の駆動電圧から第３の駆動電圧を生成する定電圧回路２０と、コンデンサＣ１１とを有している。本実施形態では、定電圧回路２０として、例えば、３端子レギュレータを用いることができる。
【００９３】
定電圧回路２０の入力端子は、第２の電源部１８のコンデンサＣ１０の高電位側に接続されている。定電圧回路２０のグランド端子は、コンデンサＣ１０の低電位側に接続されている。また、定電圧回路２０のグランド端子は、コンデンサＣ１１の低電位側に接続されている。定電圧回路２０の出力端子は、コンデンサＣ１１の高電位側に接続されている。コンデンサＣ１１の高電位側は、第１の制御部４ａにおける抵抗Ｒ７と抵抗Ｒ１３との接続点Ｐ１１に接続されている。
【００９４】
本実施形態の点灯装置１０では、第１の制御部４ａにおけるコンパレータＣＰ１の反転入力端子の入力電圧が、ＤＣ−ＤＣ変換部２の上記出力電圧を、抵抗Ｒ１１と抵抗Ｒ１２とで抵抗分圧した電圧（抵抗Ｒ１２の両端電圧）となる。また、コンパレータＣＰ１の非反転入力端子の入力電圧は、第３の電源部１９からの第３の駆動電圧を、抵抗Ｒ１３と抵抗Ｒ１４とで抵抗分圧した電圧（抵抗Ｒ１４の両端電圧）となる。
【００９５】
コンパレータＣＰ１は、反転入力端子の入力電圧と、非反転入力端子の入力電圧とを比較する。また、コンパレータＣＰ１は、反転入力端子の入力電圧と非反転入力端子の入力電圧とが異なる場合、トランジスタＴｒ１をオンする。ここで、本実施形態の点灯装置１０は、トランジスタＴｒ１がオンされると、フォトカプラＰＣ１の発光ダイオードＰＤ１に電流が流れ、フォトカプラＰＣ１のフォトトランジスタＰＴ１がオンする。そして、点灯装置１０は、フォトトランジスタＰＴ１がオンされると、制御用ＩＣ１６の３番ピンにフィードバック信号が入力される。
【００９６】
制御用ＩＣ１６は、上記フィードバック信号が入力されると、ＤＣ−ＤＣ変換部２のスイッチング素子Ｑ１のオンデューティー比を調整する。これにより、本実施形態の点灯装置１０では、仮に、光源部１１の負荷が変動しても、ＤＣ−ＤＣ変換部２の上記出力電圧を安定させることが可能となる。なお、制御用ＩＣ１６は、上記フィードバック信号が入力されると、スイッチング素子Ｑ１のオンデューティー比を調整しているが、これに限らず、例えば、スイッチング素子Ｑ１の発振周波数を調整してもよい。
【００９７】
データ処理部５は、制御装置３０からの上記制御データを受信可能な受信装置（図示せず）と、上記受信装置からの上記制御データに基づいて制御部４の動作を指示する指示部（図示せず）とを有している。
【００９８】
上記指示部は、例えば、第２のマクロコンピュータに適宜の第２のプログラムを搭載することにより構成することができる。また、上記指示部は、第３の制御部４ｃが冷却部３を駆動または停止するための制御信号Ｓ１を、第３の制御部４ｃへ出力する。なお、本実施形態では、制御信号Ｓ１として、例えば、ＰＷＭ信号を用いている。
【００９９】
本実施形態の点灯装置１０では、データ処理部５が制御信号Ｓ１を出力して第３の制御部４ｃのトランジスタＴｒ３をオンすると、トランジスタＴｒ２がオンされて、第２の電源部１８からの第２の駆動電圧が駆動モータ９に供給され、回転部８が回転する（冷却部３を駆動する）。これにより、本実施形態の点灯装置１０では、光源部１１で発生する熱を効率よく放熱することが可能となる。
【０１００】
また、上記指示部は、第２の制御部４ｂにおける各スイッチング素子Ｑ２〜Ｑ５の各々をオンオフするための制御信号Ｓ２〜Ｓ５をそれぞれ出力する。なお、本実施形態では、各制御信号Ｓ２〜Ｓ５として、例えば、ＰＷＭ信号を用いている。
【０１０１】
本実施形態の点灯装置１０では、データ処理部５が制御信号Ｓ２を出力し、第２の制御部４ｂのスイッチング素子Ｑ２がオンされると、７個の赤色ＬＥＤ１３ａが点灯する。また、本実施形態では、データ処理部５が制御信号Ｓ３を出力し、第２の制御部４ｂのスイッチング素子Ｑ３がオンされると、７個の緑色ＬＥＤ１３ｂが点灯する。また、本実施形態では、データ処理部５が制御信号Ｓ４を出力し、第２の制御部４ｂのスイッチング素子Ｑ４がオンされると、７個の青色ＬＥＤ１３ｃが点灯する。また、本実施形態では、データ処理部５が制御信号Ｓ５を出力し、第２の制御部４ｂのスイッチング素子Ｑ５がオンされると、７個の白色ＬＥＤ１３ｄが点灯する。
【０１０２】
また、本実施形態の点灯装置１０では、データ処理部５から出力される各制御信号Ｓ２〜Ｓ５の各々のオンデューティー比を各別に調整することによって、光源部１１の色温度を調整することが可能となる。なお、本実施形態では、光源部１１の色温度を、２７００Ｋ〜６５００Ｋの範囲内で調整可能となっている。
【０１０３】
また、本実施形態の点灯装置１０では、データ処理部５から出力される各制御信号Ｓ２〜Ｓ５のオンデューティー比をそれぞれ調整することによって、光源部１１の光出力レベルを調整することが可能となる（光源部１１を調光点灯させることが可能となる）。なお、本実施形態では、光源部１１の光出力レベルを、１０％〜１００％の範囲内で調整可能となっている。
【０１０４】
ここにおいて、本実施形態の点灯装置１０では、制御装置３０からの上記制御データに、光源部１１の色温度や光出力レベルの設定データが含まれている。また、上述の照明システムでは、制御装置３０のデータ発生装置３１がリモコンである場合、上記受信装置として、例えば、赤外線を受光可能な受光部または電波を受信可能な受信部などを用いればよい。
【０１０５】
ところで、本実施形態の点灯装置１０では、データ処理部５が各制御信号Ｓ２〜Ｓ５を出力して第２の制御部４ｂにおける各スイッチング素子Ｑ２〜Ｑ５をオンすると、光源部１１の各固体発光素子１３が点灯する。また、点灯装置１０では、光源部１１の各固体発光素子１３を点灯させた後に、データ処理部５が制御信号Ｓ１を出力して第３の制御部４ｃのトランジスタＴｒ２，Ｔｒ３の各々をオンすると、第２の電源部１８から駆動モータ９に第２の駆動電圧が供給され、回転部８が回転する（冷却部３を駆動する）。これにより、本実施形態の点灯装置１０では、光源部１１で発生する熱を効率よく放熱することが可能となり、各固体発光素子１３の温度上昇を抑制することが可能となる。
【０１０６】
また、本実施形態の点灯装置１０では、データ処理部５が各制御信号Ｓ２〜Ｓ５を出力して第２の制御部４ｂにおける各スイッチング素子Ｑ２〜Ｑ５をオフすると、光源部１１の各固体発光素子１３が消灯する。また、点灯装置１０では、光源部１１の各固体発光素子１３を消灯させると、直ちに、データ処理部５が制御信号Ｓ１を出力して第３の制御部４ｃのトランジスタＴｒ２，Ｔｒ３の各々をオフし、第２の電源部１８から駆動モータ９への給電を停止させる。その結果、回転部８が停止する（冷却部３を停止する）。つまり、制御部４（第３の制御部４ｃ）は、商用電源ＡＣから給電された状態で光源部１１が消灯する（点灯装置１０が待機モードになる）と、電源部（第２の電源部１８）から冷却部３への給電を停止させる。これにより、本実施形態の点灯装置１０では、商用電源ＡＣから給電された状態で光源部１１の消灯状態における電力消費（点灯装置１０の待機電力）を低減することが可能となり、より省エネルギー化を図ることが可能となる。
【０１０７】
ここにおいて、本実施形態の点灯装置１０では、第３の制御部４ｃが、冷却部３を駆動するための駆動信号を、冷却部３へ出力するようにしてもよい。具体的には、第３の制御部４ｃが、第２の電源部１８により生成された第２の駆動電圧からなる上記駆動信号を、冷却部３へ出力するようにしてもよい。この場合は、商用電源ＡＣから給電された状態で光源部１１が消灯すると、第３の制御部４ｃが、上記駆動信号の出力を停止することが好ましい。これにより、本実施形態の点灯装置１０でも、商用電源ＡＣから給電された状態で光源部１１の消灯状態における電力消費を低減することが可能となり、より省エネルギー化を図ることが可能となる。
【０１０８】
また、制御部４は、光源部１１の光出力レベルが１００％よりも小さな規定値（例えば、５０％）以下のときに、冷却部３の冷却機能を抑制または停止することが好ましい。具体的に説明すると、本実施形態の点灯装置１０では、データ処理部５から出力される各制御信号Ｓ２〜Ｓ５のオンデューティー比をそれぞれ調整することで光源部１１の光出力レベルが上記規定値以下になると、直ちに、データ処理部５から出力される制御信号Ｓ１のオンデューティー比を調整することによって、冷却部３の冷却能力を抑制または停止することが好ましい。これにより、本実施形態の点灯装置１０では、制御部４が、光源部１１を調光点灯させて光源部１１が軽負荷となり光源部１１で発生する熱量が少ないときに、冷却部３の冷却能力を抑制または停止するので、光源部１１の調光点灯状態における電力消費を低減することが可能となり、より省エネルギー化を図ることが可能となる。
【０１０９】
ここにおいて、本実施形態の点灯装置１０では、光源部１１の光出力レベルが上記規定値以下になるときを判定する方法として、データ処理部５から出力される各制御信号Ｓ２〜Ｓ５のオンデューティー比をそれぞれ調整する方法により判定しているが、これに限らず、例えば、光源部１１の光出力レベルを検出する照度センサ（図示せず）を用いて判定してもよい。
【０１１０】
以上説明した本実施形態の点灯装置１０では、商用電源ＡＣからの交流電圧を直流電圧に変換するＡＣ−ＤＣ変換部１と、ＡＣ−ＤＣ変換部１により変換された直流電圧を所定の直流電圧に変換するＤＣ−ＤＣ変換部２と、ＤＣ−ＤＣ変換部２の出力側に接続される光源部１１を冷却する冷却部３と、ＤＣ−ＤＣ変換部２を制御する制御部４とを備えている。また、本実施形態の点灯装置１０では、制御部４が、商用電源ＡＣから給電された状態で光源部１１を消灯すると、冷却部３の冷却機能を抑制または停止するので、商用電源ＡＣから給電された状態で光源部１１の消灯状態における電力消費を低減することが可能となる。
【０１１１】
なお、本実施形態の点灯装置１０では、固体発光素子１３として、ＬＥＤを採用しているが、これに限らず、例えば、有機エレクトロルミネッセンス素子などを採用してもよい。
【０１１２】
以下、上述の点灯装置１０を用いた照明器具の一例について、図４に基づいて説明する。
【０１１３】
本実施形態の照明器具は、上述の光源部１１と、上述の点灯装置１０とを備えている。この照明器具は、光源部１１と点灯装置１０とを別々に配置した照明器具であり、光源部１１と点灯装置１０の一部とを第１の接続線３９を介して接続してある。また、上述の照明器具は、例えば、天井材２９などに埋め込み配置される。
【０１１４】
光源部１１は、複数個（本実施形態では、２８個）の固体発光素子１３が実装された実装基板１４を有する発光モジュール１２と、発光モジュール１２を着脱自在に取り付け可能なケース１５とを備えている。なお、図４では、２８個の固体発光素子１３のうち５個の固体発光素子１３が見えている。
【０１１５】
実装基板１４としては、例えば、金属ベースプリント配線板を用いることができる。本実施形態では、実装基板１４の平面形状を、矩形状としているが、これに限らず、例えば、他の多角形状、円形状などであってもよい。なお、本実施形態では、実装基板１４として、金属ベースプリント配線板を用いているが、これに限らず、例えば、セラミック基板、ガラスエポキシ基板、紙フェノール基板などを用いてもよい。
【０１１６】
発光モジュール１２は、電気絶縁性および熱伝導性を有する絶縁シート２２を介して、ケース１５に取り付けられている。
【０１１７】
ケース１５は、例えば、アルミニウムなどの金属材料により形成することができる。このケース１５は、例えば、有底円筒状に形成されている。
【０１１８】
本実施形態の照明器具では、ケース１５の内底面に、絶縁シート２２を介して発光モジュール１２が配置されている。これにより、本実施形態の照明器具では、発光モジュール１２で発生した熱をケース１５へ効率よく伝導させることが可能となる。
【０１１９】
本実施形態の照明器具では、ケース１５の開口側（図４では、下側）に、各固体発光素子１３から発光された光を拡散する拡散板２３が配置されている。拡散板２３は、透光部材（例えば、アクリル樹脂、ガラスなど）により形成することができる。本実施形態では、拡散板２３の形状を、例えば、円板状としてある。
【０１２０】
上述の点灯装置１０の冷却部３は、ケース１５の底部における上記開口側とは反対側に、固定されている。つまり、冷却部３は、光源部１１に固定されている。本実施形態の照明器具では、冷却部３が光源部１１を冷却することができるので、ケース１５に伝導された熱を放熱することが可能となる。
【０１２１】
また、本実施形態の照明器具は、光源部１１を保持する器具本体２４を備えている。
【０１２２】
器具本体２４は、例えば、アルミニウムなどの金属材料により形成することができる。この器具本体２４は、筒状の側部２４ａと、この側部２４ａの下端部から外方へ延設された鍔部２４ｂとを有している。
【０１２３】
側部２４ａは、この側部２４ａの上端部から下端部に向かって開口面積が徐々に大きくなるテーパ筒状に形成されている。
【０１２４】
側部２４ａの上端部には、光源部１１が配置されている。
【０１２５】
ここにおいて、本実施形態の照明器具では、光源部１１のケース１５の上記開口側に拡散板２３を配置しているが、器具本体２４の側部２４ａの下端部側に拡散板２３を配置してもよい。
【０１２６】
また、器具本体２４は、側部２４ａが天井材２９に貫設された埋込孔２９ａに埋め込まれ、鍔部２４ｂが天井材２９の下面における埋込孔２９ａの周部に当接する形で天井材２９に取り付けられる。
【０１２７】
また、器具本体２４は、この器具本体２４を天井材２９の一表面側（図４では、上面側）で固定するための一対の固定金具２５，２５を有している。一対の固定金具２５，２５は、器具本体２４の側部２４ａの外側に設けられている。
【０１２８】
ここにおいて、本実施形態の照明器具では、器具本体２４の内部に、発光部１１から発光された光を反射する反射板（図示せず）を設けてもよい。この場合は、上記反射板を、例えば、ばねなどの固定具により器具本体２４の内部に固定すればよい。これにより、本実施形態の照明器具では、発光部１１から発光された光の発光効率を向上させることが可能となる。
【０１２９】
また、本実施形態の照明器具では、点灯装置１０の冷却部３以外（ＡＣ−ＤＣ変換部１、ＤＣ−ＤＣ変換部２、制御部４、データ処理部５および各電源部１７〜１９）を、電源装置２６（図１，２参照）として構成してある。
【０１３０】
電源装置２６は、例えば、金属材料または樹脂材料により形成された箱状のケース２７に収納されている。本実施形態では、このケース２７が、天井材２９の上記一表面側に配置されている。
【０１３１】
また、電源装置２６には、制御装置３０からの上記制御データを入力するための入力部２８と、商用電源ＡＣに電気的に接続された一対の入力端子３４，３４（図２参照）とが設けられている。本実施形態では、入力部２８および一対の入力端子３４，３４の各々が、ケース２７の一側面（図４では、左側面）から露設されている。
【０１３２】
また、電源装置２６には、光源部１１と電気的に接続するための第１の接続線３９の一端部に設けられた第１のコネクタ３９ａ（図２参照）を着脱自在に接続可能な第２のコネクタ３５（図２参照）が、設けられている。また、電源装置２６には、冷却部３と電気的に接続するための第２の接続線４０の一端部に設けられた第３のコネクタ４０ａを着脱自在に接続可能な第４のコネクタ３６が、設けられている。本実施形態では、第２のコネクタ３５および第４のコネクタ３６の各々が、ケース２７の一側面とは反対側の他側面（図４では、右側面）から露設されている。
【０１３３】
ここにおいて、光源部１１には、第１の接続線３９の他端部に設けられた第５のコネクタ３９ｂを着脱自在に接続可能な第６のコネクタ３７が、設けられている。また、冷却部３には、第２の接続線４０の他端部に設けられた第７のコネクタ４０ｂを着脱自在に接続可能な第８のコネクタ３８が、設けられている。
【０１３４】
以上説明した本実施形態の照明器具では、固体発光素子１３を有する光源部１１と、上述の点灯装置１０とを備えているので、商用電源ＡＣから給電された状態で光源部１１の消灯状態における電力消費を低減することが可能となる。
【符号の説明】
【０１３５】
１  ＡＣ−ＤＣ変換部
２  ＤＣ−ＤＣ変換部
３  冷却部
４  制御部
１０  点灯装置
１１  光源部
１３  固体発光素子
１８  第２の電源部（電源部）
【図１】
0005954656.tif 000002
【図２】
0005954656.tif 000003
【図３】
0005954656.tif 000004
【図４】
0005954656.tif 000005
【図５】
0005954656.tif 000006
【図６】
0005954656.tif 000007